(57)【要約】【課題】従来よりもピークカット設定時間帯におけるピークカット運転している時間を長くできる自動販売機の制御装置を提供する。【解決手段】ピークカット設定時間帯内に入ると、庫内温度調節手段６による温度調節を停止するピークカット運転を行うが、ピークカット運転中の商品収納庫の扉の連続開放状態が所定時間に達したことを扉状態検知手段７の扉開放検知で計時動作を行うタイマー手段８により検知した場合には、ピークカット運転を解除して通常運転を行う自動販売機の制御装置であって、扉の開放時間（連続開放時間）によりピークカット運転を解除して通常運転を開始してから所定時間経過したことをタイマー手段８により検知した時点で、ピークカット設定時間帯を過ぎていないことをカレンダー手段により検知した場合は、ピークカット運転を再開するので、従来よりも節電（省エネ）に貢献できる。【選択図】図１
2014146150.tif 000002
【特許請求の範囲】
【請求項１】
通常は、商品収納庫内の温度を庫内温度検知手段により検知して、前記商品収納庫内の空気を冷却または加温する庫内温度調節手段を用いて前記商品収納庫内の温度が設定温度範囲に収まるように温度調節する通常運転を行い、ピークカット設定時間帯内に入ると、前記庫内温度調節手段による温度調節を停止するピークカット運転を行うが、前記ピークカット運転中の前記商品収納庫の扉の連続開放状態が所定時間に達した場合には、前記ピークカット運転を解除して前記通常運転を行う自動販売機の制御装置であって、前記ピークカット運転を解除して前記通常運転を開始してから所定時間経過した時点で、ピークカット設定時間帯を過ぎていない場合は、前記ピークカット運転を再開することを特徴とする自動販売機の制御装置。
【請求項２】
ピークカット運転中に節電していることを表示する表示手段を備えたことを特徴とする請求項１に記載の自動販売機の制御装置。
【請求項３】
外気温を検知する外気温検知手段を備え、ピークカット運転中に、前記庫内温度検知手段で検知した商品収納庫内の温度が、前記外気温検知手段により検知した外気温で補正されたピークカット解除温度に達した場合は、前記ピークカット運転を解除して前記通常運転を行うことを特徴とする請求項１または２に記載の自動販売機の制御装置。
【発明の詳細な説明】
【技術分野】
【０００１】
本発明は、ピークカット設定時間帯に商品収納庫内の空気を冷却または加温する庫内温度調節手段を強制的に停止する自動販売機の制御装置に関するものである。
【背景技術】
【０００２】
従来の自動販売機の制御装置としては、通常は、商品収納庫内の温度を庫内温度検知手段により検知して、商品収納庫内の空気を冷却または加温する庫内温度調節手段を用いて商品収納庫内の温度が設定温度範囲に収まるように温度調節する通常運転を行い、ピークカット設定時間帯内に入ると、庫内温度調節手段による温度調節を停止するピークカット運転を行うが、ピークカット運転中の商品収納庫の扉の連続開放状態が所定時間に達した場合には、ピークカット運転を解除して通常運転を行うものがある（例えば、特許文献１参照）。
【先行技術文献】
【特許文献】
【０００３】
【特許文献１】特開平８−２３５４２９号公報
【発明の概要】
【発明が解決しようとする課題】
【０００４】
しかしながら、上記従来の自動販売機の制御装置では、ピークカット設定時間の終了時刻まで比較的長い時間が残っているにも拘わらず、商品収納庫の扉の連続開放状態が所定時間に達したことにより、ピークカット運転を解除して通常運転を行った場合は、ピークカット運転による節電運転の時間が短くなり、節電効果が小さくなるという課題を有していた。
【０００５】
本発明は、上記従来の課題を解決するもので、商品収納庫の扉の連続開放状態が所定時間に達したことにより、ピークカット運転を解除して通常運転を行う自動販売機の制御装置において、ピークカット設定時間の終了時刻まで比較的長い時間が残っている時にピークカット運転を解除した場合に、従来よりもピークカット設定時間帯におけるピークカット運転している時間を長くすることを目的としている。
【課題を解決するための手段】
【０００６】
上記従来の課題を解決するために、本発明の自動販売機の制御装置は、ピークカット運転中の商品収納庫の扉の連続開放状態が所定時間に達した場合には、前記ピークカット運転を解除して通常運転を行うが、前記ピークカット運転を解除して前記通常運転を開始してから所定時間経過した時点で、ピークカット設定時間帯を過ぎていない場合は、前記ピークカット運転を再開するのである。
【０００７】
上記構成において、扉の開放時間（連続開放時間）が所定時間に達したことによりピークカット運転を解除して通常運転を開始してから所定時間経過した時点で、ピークカット設定時間帯を過ぎていない場合は、ピークカット運転を再開するので、ピークカット設定時間の終了時刻まで比較的長い時間が残っている時にピークカット運転を解除した場合に、従来よりもピークカット設定時間帯におけるピークカット運転している時間を長くすることができる。
【発明の効果】
【０００８】
本発明の自動販売機の制御装置は、扉の開放時間（連続開放時間）が所定時間に達した
ことによりピークカット運転を解除して通常運転を開始してから所定時間経過した時点で、ピークカット設定時間帯を過ぎていない場合は、ピークカット運転を再開するので、ピークカット設定時間の終了時刻まで比較的長い時間が残っている時にピークカット運転を解除した場合に、従来よりもピークカット設定時間帯におけるピークカット運転（節電運転）している時間を長くすることができ、従来よりも節電に貢献できる。
【図面の簡単な説明】
【０００９】
【図１】本発明による自動販売機の制御装置の実施の形態１の機能ブロック図
【図２】同実施の形態による自動販売機の制御装置の動作を示すフローチャート
【発明を実施するための形態】
【００１０】
第１の発明は、通常は、商品収納庫内の温度を庫内温度検知手段により検知して、前記商品収納庫内の空気を冷却または加温する庫内温度調節手段を用いて前記商品収納庫内の温度が設定温度範囲に収まるように温度調節する通常運転を行い、ピークカット設定時間帯内に入ると、前記庫内温度調節手段による温度調節を停止するピークカット運転を行うが、前記ピークカット運転中の前記商品収納庫の扉の連続開放状態が所定時間に達した場合には、前記ピークカット運転を解除して前記通常運転を行う自動販売機の制御装置であって、前記ピークカット運転を解除して前記通常運転を開始してから所定時間経過した時点で、ピークカット設定時間帯を過ぎていない場合は、前記ピークカット運転を再開することを特徴とするものである。
【００１１】
上記構成において、扉の開放時間（連続開放時間）が所定時間に達したことによりピークカット運転を解除して通常運転を開始してから所定時間経過した時点で、ピークカット設定時間帯を過ぎていない場合は、ピークカット運転を再開するので、ピークカット設定時間の終了時刻まで比較的長い時間が残っている時にピークカット運転を解除した場合に、従来よりもピークカット設定時間帯におけるピークカット運転している時間を長くすることができ、従来よりも節電（省エネ）に貢献できる。
【００１２】
第２の発明は、特に第１の発明に、ピークカット運転中に節電していることを表示する表示手段を備えたものであり、ピークカット運転中に自動販売機の顧客に節電運転していることを知らせることができ、節電（省エネ）に貢献していること（環境にやさしいこと）を顧客にアピールできる。
【００１３】
第３の発明は、特に第１または第２の発明に、外気温を検知する外気温検知手段を備え、ピークカット運転中に、前記庫内温度検知手段で検知した商品収納庫内の温度が、前記外気温検知手段により検知した外気温で補正されたピークカット解除温度に達した場合は、前記ピークカット運転を解除して前記通常運転を行うものである。
【００１４】
ここで、庫内温度検知手段で検知する商品収納庫内の温度とは、商品収納庫内の空気の温度である。
【００１５】
通常、ピークカット運転中の商品収納庫内の商品の温度は、商品収納庫内の空気の温度よりも外気温の影響を受けにくい。
【００１６】
つまり、基準の外気温の時よりもピークカット運転中の商品収納庫内の空気の温度の変化が急になる外気温の場合は、商品収納庫内の空気の温度の上昇が商品の温度に反映するまでの時間が基準の外気温の時よりも長くなり、基準の外気温の時よりもピークカット運転中の商品収納庫内の空気の温度の変化が緩やかになる外気温の場合は、商品収納庫内の空気の温度の上昇が商品の温度に反映するまでの時間が基準の外気温の時よりも短くなる傾向にある。
【００１７】
そこで、庫内温度調節手段である冷却機で商品収納庫内の空気を冷却する商品収納庫に対しては、実際の外気温が基準の外気温より高い場合は、実際の外気温が基準の外気温より高い程、基準のピークカット解除温度よりもピークカット解除温度を高くして、ピークカット運転を解除して冷却機による通常運転を開始する時間を通常よりも遅らせる。他方、実際の外気温が基準の外気温より低い場合は、実際の外気温が基準の外気温より低い程、基準のピークカット解除温度よりもピークカット解除温度を低くして、ピークカット運転を解除して冷却機による通常運転を開始する時間を通常よりも早くする。
【００１８】
また、庫内温度調節手段である加温機で商品収納庫内の空気を加温する商品収納庫に対しては、実際の外気温が基準の外気温より高い場合は、実際の外気温が基準の外気温より高い程、基準のピークカット解除温度よりもピークカット解除温度を高くして、ピークカット運転を解除して加温機による通常運転を開始する時間を通常よりも早くする。他方、実際の外気温が基準の外気温より低い場合は、実際の外気温が基準の外気温より低い程、基準のピークカット解除温度よりもピークカット解除温度を低くして、ピークカット運転を解除して加温機による通常運転を開始する時間を通常よりも遅らせる。
【００１９】
これにより、節電（省エネ）を実現しながら、お客様に適温の商品を提供できる。
【００２０】
以下、本発明による自動販売機の制御装置の実施の形態について、図面を参照しながら説明する。なお、この、実施の形態によって本発明が限定されるものではない。
【００２１】
（実施の形態１）
図１は、本発明の実施の形態１による自動販売機の制御装置の機能ブロック図である。
【００２２】
図２は、同実施の形態の自動販売機の制御装置の動作を示すフローチャートである。
【００２３】
図１において、温度制御手段１は、通常は、冷却販売する商品を収納した商品収納庫内の空気を冷却する冷却機３または加温販売する商品を収納した商品収納庫内の空気を加温する加温機４を用いて、庫内温度検知手段２により検知した商品収納庫内の空気の温度が設定温度範囲に収まるように温度調節する。
【００２４】
また、温度制御手段１は、カレンダー手段５から得た現在の月日時刻情報によりピークカット設定時間帯内に入ったことを検知した時は、冷却機３と加温機４からなる庫内温度調節手段６による商品収納庫内の空気の温度調節を停止するピークカット運転を行う。
【００２５】
また、温度制御手段１は、ピークカット運転中に自動販売機のサービスマンが、商品の補充等のために、商品収納庫の扉を開けた場合は、扉状態検知手段７により扉の開放状態を検知してタイマー手段８を動作させ、タイマー手段８により商品収納庫の扉の開放時間（連続開放時間）を計測する。商品収納庫の扉が閉鎖された場合は、扉状態検知手段７により扉の閉鎖を検知してタイマー手段８の計時動作を停止（リセット）させる。
【００２６】
そして、温度制御手段１は、タイマー手段８が計測したピークカット運転中の商品収納庫の扉の開放時間（連続開放時間）が所定時間に達した場合には、ピークカット運転を解除して通常運転を行うと共にタイマー手段８を動作させ、タイマー手段８により通常運転を開始してからの経過時間を計測する。
【００２７】
温度制御手段１は、ピークカット運転を解除して通常運転を開始してから所定時間経過したことをタイマー手段８により検知した時点でのカレンダー手段５から得た現在の月日時刻情報から、ピークカット設定時間帯（ピークカット終了時刻）を過ぎていないと判断
した場合は、ピークカット運転を再開する。
【００２８】
本実施の形態の自動販売機の制御装置は、ピークカット運転中に節電していることをＬＥＤ等で外部に表示する表示手段９と、自動販売機の周囲の外気温を検知する外気温検知手段１０を備える。
【００２９】
また、温度制御手段１は、ピークカット運転中に、庫内温度検知手段２で検知した商品収納庫内の温度が、外気温検知手段１０により検知した外気温で補正されたピークカット解除温度に達した場合は、ピークカット運転を解除して通常運転を行う。
【００３０】
本実施の形態の自動販売機の制御装置は、演算制御部１１内に、温度制御手段１と、カレンダー手段５と、タイマー手段８を備える。
【００３１】
以上のように構成された本実施の形態の自動販売機の制御装置について、以下その動作を図２を参照しながら説明する。
【００３２】
ピークカット運転前に行うピークシフト運転の設定時間帯内に入る前（カレンダー手段５から得た現在の月日時刻がピークシフト設定時間帯とピークカット設定時間帯のどちらでもない月日時刻である場合）は、ＳＴＥＰ１をＮＯ側に分岐した後、ＳＴＥＰ２をＮＯ側に分岐して、ＳＴＥＰ３に進み、ＳＴＥＰ３で、冷却販売する商品を収納した商品収納庫内の空気を冷却する冷却機３または加温販売する商品を収納した商品収納庫内の空気を加温する加温機４を用いて、庫内温度検知手段２により検知した商品収納庫内の空気の温度が設定温度範囲に収まるように温度調節する、いわゆる、通常運転を行う。
【００３３】
時間が経過して、カレンダー手段５から得た現在の月日時刻がピークシフト設定時間帯に入ると、ＳＴＥＰ１をＹＥＳ側に分岐して、ＳＴＥＰ４に進み、ＳＴＥＰ４で、冷却販売する商品を収納した商品収納庫内の空気を冷却する冷却機３または加温販売する商品を収納した商品収納庫内の空気を加温する加温機４を用いて、庫内温度検知手段２により検知した商品収納庫内の空気の温度がピークシフト用の設定温度範囲に収まるように温度調節する、いわゆる、ピークシフト運転を行う。
【００３４】
ここで、ピークシフト運転は、冷却機３により冷却販売する商品を収納した商品収納庫内の空気を通常運転時よりも低い温度に冷却し、加温機４により加温販売する商品を収納した商品収納庫内の空気を通常運転時よりも高い温度に加温するものであり、カレンダー手段５から得た現在の月日時刻がピークシフト設定時間帯（ピークシフト終了時刻）を過ぎるまでピークシフト運転を行う。
【００３５】
時間が経過して、カレンダー手段５から得た現在の月日時刻がピークカット設定時間帯に入ると、ＳＴＥＰ１をＮＯ側に分岐した後、ＳＴＥＰ２をＹＥＳ側に分岐して、ＳＴＥＰ５に進み、ＳＴＥＰ５で、冷却販売する商品を収納した商品収納庫内の空気を冷却する冷却機３と加温販売する商品を収納した商品収納庫内の空気を加温する加温機４による商品収納庫内の空気の温度調節を停止するピークカット運転を行う。また、表示手段９によりＬＥＤ等で外部に節電していることを知らせる。
【００３６】
次のＳＴＥＰ６で、扉状態検知手段７により扉の閉鎖状態（扉が開放状態でないこと）を検知した場合は、ＳＴＥＰ６をＮＯ側に分岐して、ＳＴＥＰ７に進み、ＳＴＥＰ７で、商品収納庫内の空気の温度を庫内温度検知手段２により検知し、自動販売機の周囲の外気温を外気温検知手段１０により検知し、次のＳＴＥＰ８で、外気温検知手段１０により検知した外気温に応じてピークカット解除温度を補正する。
【００３７】
通常、ピークカット運転中の商品収納庫内の商品の温度は、商品収納庫内の空気の温度よりも外気温の影響を受けにくい。
【００３８】
つまり、基準の外気温の時よりもピークカット運転中の商品収納庫内の空気の温度の変化が急になる外気温の場合は、商品収納庫内の空気の温度の上昇が商品の温度に反映するまでの時間が基準の外気温の時よりも長くなり、基準の外気温の時よりもピークカット運転中の商品収納庫内の空気の温度の変化が緩やかになる外気温の場合は、商品収納庫内の空気の温度の上昇が商品の温度に反映するまでの時間が基準の外気温の時よりも短くなる傾向にある。
【００３９】
そこで、庫内温度調節手段６である冷却機３で商品収納庫内の空気を冷却する商品収納庫に対しては、実際の外気温が基準の外気温より高い場合は、実際の外気温が基準の外気温より高い程、基準のピークカット解除温度よりもピークカット解除温度を高くして、ピークカット運転を解除して冷却機３による通常運転を開始する時間を通常よりも遅らせる。他方、実際の外気温が基準の外気温より低い場合は、実際の外気温が基準の外気温より低い程、基準のピークカット解除温度よりもピークカット解除温度を低くして、ピークカット運転を解除して冷却機３による通常運転を開始する時間を通常よりも早くする。
【００４０】
また、庫内温度調節手段６である加温機４で商品収納庫内の空気を加温する商品収納庫に対しては、実際の外気温が基準の外気温より高い場合は、実際の外気温が基準の外気温より高い程、基準のピークカット解除温度よりもピークカット解除温度を高くして、ピークカット運転を解除して加温機４による通常運転を開始する時間を通常よりも早くする。他方、実際の外気温が基準の外気温より低い場合は、実際の外気温が基準の外気温より低い程、基準のピークカット解除温度よりもピークカット解除温度を低くして、ピークカット運転を解除して加温機４による通常運転を開始する時間を通常よりも遅らせる。
【００４１】
次の、ＳＴＥＰ９で、庫内温度検知手段２により検知した商品収納庫内の空気の温度が、外気温で補正後のピークカット解除温度に達していなければ、ＳＴＥＰ９をＮＯ側に分岐してＳＴＥＰ２に戻り、庫内温度検知手段２により検知した商品収納庫内の空気の温度が、外気温で補正後のピークカット解除温度に達していれば、ＳＴＥＰ９をＹＥＳ側に分岐して、ピークカット運転を解除して、表示手段９による節電の表示を消して、ＳＴＥＰ３に進み、ＳＴＥＰ３で、通常運転を行う。
【００４２】
ピークカット運転中に自動販売機のサービスマンが、商品の補充等のために、商品収納庫の扉を開けて、扉状態検知手段７により扉の開放状態を検知した場合は、ＳＴＥＰ６をＹＥＳ側に分岐して、タイマー手段８を動作させ、タイマー手段８により商品収納庫の扉の開放時間（連続開放時間）を計測する。
【００４３】
扉の開放状態が継続している間は、タイマー手段８が計測したピークカット運転中の商品収納庫の扉の開放時間（連続開放時間）が所定時間に達するまでは、ＳＴＥＰ１０をＮＯ側に分岐してＳＴＥＰ２に戻り、タイマー手段８が計測したピークカット運転中の商品収納庫の扉の開放時間（連続開放時間）が所定時間に達する前に商品収納庫の扉が閉鎖された場合は、扉状態検知手段７により扉の閉鎖を検知してタイマー手段８の計時動作を停止（リセット）させ、ＳＴＥＰ６をＮＯ側に分岐してＳＴＥＰ７に進む。
【００４４】
タイマー手段８が計測したピークカット運転中の商品収納庫の扉の開放時間（連続開放時間）が所定時間に達した場合には、ＳＴＥＰ１０をＹＥＳ側に分岐して、ピークカット運転を解除して、表示手段９による節電の表示を消して、ＳＴＥＰ１１に進み、ＳＴＥＰ１１で、通常運転を行うと共に、タイマー手段８を動作させ、タイマー手段８により通常運転を開始してからの経過時間を計測する。
【００４５】
扉の開放時間（連続開放時間）が所定時間に達したことによりピークカット運転を解除して通常運転を開始してから所定時間経過するまでは、ＳＴＥＰ１２をＮＯ側に分岐してＳＴＥＰ１１に戻り、扉の開放時間（連続開放時間）が所定時間に達したことによりピークカット運転を解除して通常運転を開始してから所定時間経過したことをタイマー手段８により検知した場合は、タイマー手段８の計時動作を停止（リセット）させ、ＳＴＥＰ１２をＹＥＳ側に分岐してＳＴＥＰ２に戻る。
【００４６】
そして、ＳＴＥＰ１２をＹＥＳ側に分岐してＳＴＥＰ２に戻った時点でのカレンダー手段５から得た現在の月日時刻情報から、ピークカット設定時間帯（ピークカット終了時刻）を過ぎていると判断した場合は、ＳＴＥＰ２をＮＯ側に分岐して、ＳＴＥＰ３に進み、通常運転を継続する。
【００４７】
また、ＳＴＥＰ１２をＹＥＳ側に分岐してＳＴＥＰ２に戻った時点でのカレンダー手段５から得た現在の月日時刻情報から、ピークカット設定時間帯（ピークカット終了時刻）を過ぎていないと判断した場合は、ＳＴＥＰ２をＹＥＳ側に分岐して、ＳＴＥＰ５に進み、ＳＴＥＰ５で、ピークカット運転を再開する。また、再び表示手段９によりＬＥＤ等で外部に節電していることを知らせる。
【００４８】
そして、ピークカット運転している時に、ピークカット設定時間帯（ピークカット終了時刻）を過ぎた場合は、ピークカット運転を解除して、表示手段９による節電の表示を消して、ＳＴＥＰ２をＮＯ側に分岐して、ＳＴＥＰ３に進み、通常運転を行う。
【００４９】
以上説明したように本実施の形態の自動販売機の制御装置は、通常は、商品収納庫内の空気の温度を庫内温度検知手段２により検知して、商品収納庫内の空気を冷却機３により冷却または加温機４により加温する庫内温度調節手段６を用いて商品収納庫内の温度が設定温度範囲に収まるように温度調節する通常運転を行い、ピークカット設定時間帯内に入ると、庫内温度調節手段６による温度調節を停止するピークカット運転を行うが、ピークカット運転中の商品収納庫の扉の連続開放状態が所定時間に達したことを扉状態検知手段７の扉開放検知で計時動作を行うタイマー手段８により検知した場合には、ピークカット運転を解除して通常運転を行う自動販売機の制御装置であって、扉の開放時間（連続開放時間）によりピークカット運転を解除して通常運転を開始してから所定時間経過したことをタイマー手段８により検知した時点で、ピークカット設定時間帯を過ぎていないことをカレンダー手段により検知した場合は、ピークカット運転を再開することを特徴とするものである。
【００５０】
上記構成において、扉の開放時間（連続開放時間）が所定時間に達したことによりピークカット運転を解除して通常運転を開始してから所定時間経過した時点で、ピークカット設定時間帯を過ぎていない場合は、ピークカット運転を再開するので、ピークカット設定時間の終了時刻まで比較的長い時間が残っている時にピークカット運転を解除した場合に、従来よりもピークカット設定時間帯におけるピークカット運転している時間を長くすることができ、従来よりも節電（省エネ）に貢献できる。
【００５１】
また、本実施の形態の自動販売機の制御装置は、ピークカット運転中に節電していることを表示する表示手段９を備えたので、ピークカット運転中に自動販売機の顧客に節電運転していることを知らせることができ、節電（省エネ）に貢献していること（環境にやさしいこと）を顧客にアピールできる。
【００５２】
また、本実施の形態の自動販売機の制御装置は、外気温を検知する外気温検知手段１０を備え、ピークカット運転中に、庫内温度検知手段２で検知した商品収納庫内の空気の温
度が、外気温検知手段１０により検知した外気温で補正されたピークカット解除温度に達した場合は、ピークカット運転を解除して通常運転を行うので、節電（省エネ）を実現しながら、お客様に適温の商品を提供できる。
【００５３】
なお、本実施の形態における、扉の開放時間（連続開放時間）によりピークカット運転を解除して通常運転を開始してからタイマー手段８で計測する所定時間は、外気温またはカレンダーにより補正しても構わない。
【産業上の利用可能性】
【００５４】
以上のように、本発明にかかる自動販売機の制御装置によれば、扉の開放時間（連続開放時間）が所定時間に達したことによりピークカット運転を解除して通常運転を開始してから所定時間経過した時点で、ピークカット設定時間帯を過ぎていない場合は、ピークカット運転を再開するので、ピークカット設定時間の終了時刻まで比較的長い時間が残っている時にピークカット運転を解除した場合に、従来よりもピークカット設定時間帯におけるピークカット運転（節電運転）している時間を長くすることができ、従来よりも節電に貢献できるので、ピークカット運転中に扉の開放時間（連続開放時間）が所定時間に達するとピークカット運転を解除して通常運転を行う自動販売機に適用できる。
【符号の説明】
【００５５】
１    温度制御手段
２    庫内温度検知手段
３    冷却機
４    加温機
５    カレンダー手段
６    庫内温度調節手段
７    扉状態検知手段
８    タイマー手段
９    表示手段
１０  外気温検知手段
【図１】
2014146150.tif 000003
【図２】
2014146150.tif 000004